(57)【要約】【課題】本発明の目的は缶の装飾効果の向上と同時に、成形の際に発生し易い変形歪みの缶胴開口端部への影響を低減できる異形缶製造方法を提供することにある。【解決手段】円筒状缶部材１０の缶胴拡径部１６になる部分をエキスパンド成形し缶胴上部１４ａと缶胴下部１４ｂより大径の缶胴拡径部１６とするエキスパンド成形工程を含む異形缶製造方法において、該成形工程は、該缶部材１０の缶胴拡径部１６上部になる部分の全周に渡って設けられる上部略タガ状凸部２２ａと該缶胴拡径部１６下部になる部分の全周に渡って設けられる下部略タガ状凸部２２ｂの拡径寸法が、該上部略タガ状凸部２２ａと下部略タガ状凸部２２ｂになる部分との間において該缶胴１４の円周方向に対し斜めに設けられる傾斜凹凸模様２４の傾斜凹模様２６の径よりも大となるように、該缶部材１０をエキスパンド成形することを特徴とする異形缶製造方法。【選択図】      図１
2004298881.tif 000002
【特許請求の範囲】
【請求項１】
円筒状缶部材の缶胴拡径部になる部分をその内側から半径方向外側にエキスパンド成形することにより、缶胴上部及び缶胴下部よりも大径の缶胴拡径部とするエキスパンド成形工程を含む異形缶製造方法において、
前記エキスパンド成形工程は、前記缶部材の缶胴拡径部上部になる部分の全周に渡って設けられる上部略タガ状凸部と、該缶部材の缶胴拡径部下部になる部分の全周に渡って設けられる下部略タガ状凸部の拡径寸法が、前記上部略タガ状凸部と前記下部略タガ状凸部との間において、該缶胴の円周方向に対し斜めに設けられる傾斜凹凸模様の傾斜凹模様の径よりも大となるように、該円筒状缶部材の缶胴になる部分をエキスパンド成形することを特徴とする異形缶製造方法。
【請求項２】
円筒状缶部材内に配置され、該缶部材の缶胴拡径部になる部分をその内側から半径方向外側にエキスパンド成形することにより、缶胴上部及び缶胴下部よりも大径の缶胴拡径部とするための外周壁を持つエキスパンド型において、
前記外周壁は、前記缶部材の缶胴上部になる部分から缶胴下部になる部分にかけて内側から半径方向外側に押圧し、所定の寸法を持つ缶胴拡径部となるまで前記缶部材の缶胴になる部分を拡径するための拡径対応部と、
前記外周壁の前記拡径対応部の上部に相当し、該拡径対応部の上部の全周に渡って設けられた上部タガ対応部と、
前記外周壁の前記拡径対応部の下部に相当し、該拡径対応部の下部の全周に渡って設けられた下部タガ対応部と、
前記外周壁の上部タガ対応部から前記下部タガ対応部にかけて、該外周壁の円周方向に対し斜めに傾斜凹凸模様が形成された少なくとも凹模様対応部を含む傾斜凹凸模様対応部と、
を備え、前記傾斜凹模様対応部上端を前記上部タガ対応部よりも下方、且つ半径方向内側に位置させ、かつ該傾斜凹模様対応部下端を前記下部タガ対応部よりも上方、且つ半径方向内側に位置させることを特徴とするエキスパンド型。
【請求項３】
請求項２記載のエキスパンド型において、
その中心軸線を中心に分割され、それぞれ前記外周壁の各対応部を持つ複数のエキスパンド用セグメントを含み、該隣合うエキスパンド用セグメントの傾斜凹凸模様対応部は、該外周璧の円周方向に連続または不連続に構成されていることを特徴とするエキスパンド型。
【請求項４】
請求項２又は３記載のエキスパンド型において、
前記傾斜凹凸模様対応部は螺旋状であり、その螺旋巻数が正の整数倍であることを特徴とするエキスパンド型。
【請求項５】
缶胴上部及び缶胴下部よりも大径の缶胴拡径部を備えた異形缶において、
前記缶胴拡径部の上部に相当し、該拡径部上部の全周に渡って設けられた上部略タガ状凸部と、
前記缶胴拡径部の下部に相当し、該拡径部下部の全周に渡って設けられた下部略タガ状凸部と、
前記缶胴の前記上部略タガ状凸部から前記下部略タガ状凸部にかけて、該缶胴の円周方向に対し斜めに形成された少なくとも傾斜凹模様を含む傾斜凹凸模様と、  を備え、前記傾斜凹模様上端部を前記上部略タガ状凸部よりも下方、且つ半径方向内側に位置させ、該傾斜凹模様下端部を前記下部略タガ状凸部よりも上方、且つ半径方向内側に位置させることを特徴とする異形缶。
【請求項６】
請求項５記載の異形缶において、
前記傾斜凹凸模様は螺旋状であり、その螺旋巻数が正の整数倍であることを特徴とする異形缶。
【請求項７】
請求項５又は６記載の異形缶において、
前記上部略タガ状凸部の外径と前記下部略タガ状凸部の外径は、ほぼ同一であり、
前記缶胴の上端部と前記上部略タガ状凸部間の上下方向の長さが缶高の１０％以上、２０％以下となる範囲内に、該上部略タガ状凸部が位置し、
かつ前記缶胴の下端部と前記下部略タガ状凸部間の上下方向の長さが缶高の１０％以上、２０％以下となる範囲内に、該下部略タガ状凸部が位置することを特徴とする異形缶。
【発明の詳細な説明】
【０００１】
【発明の属する技術分野】
本発明は異形缶製造方法、エキスパンド型及び異形缶、特に缶の装飾効果の向上と成形の際の変形歪みの発生の低減を同時に図ることのできる技術に関する。
【０００２】
【従来の技術】
例えば飲料缶においては、スリーピース缶と、深絞り缶や絞りしごき缶等のツーピース缶が一般に製造されている。
これらの缶は、ほぼ同一の形状であるため、大量にしかも安価に生産することができる。しかしながら、これらの缶は形状に個性がないので、商品自体を形状により容易に区別することができなかった。
このため、商品の個別化や差別化を目的として、個性的な形状をもち、しかも安価な缶の開発が望まれている。
【０００３】
このような要望に応えるため、例えば缶胴上部及び缶胴下部よりも大径の缶胴拡径部を持つ異形缶が考えられる（例えば特許文献１、特許文献２参照）。
例えば円筒状の缶部材内に同一形状の凹凸を持つ金型を配置し、金型により缶部材をエキスパンド成形することにより、缶胴拡径部が形成されている。
【０００４】
【特許文献１】
特開昭４９−２８４９２号公報
【特許文献２】
特開昭５９−１６３０４１号公報
【０００５】
【発明が解決しようとする課題】
しかしながら、前記異形缶にあっても、缶胴に形成される模様は円周方向の形状が同一で定形化したものであり、さらにバリエーションを増やすことが求められていた。
本発明者らが缶の装飾効果の向上について検討したところ、缶胴に傾斜凹凸模様を成形することが、コスト対装飾効果のバランスに優れていることが分かった。
しかしながら、円筒状缶部材の缶胴になる部分に傾斜凹凸模様を成形しようとすると、該缶胴両端部になる部分に歪みが生じるので、該缶胴の開口端部に成形されるフランジの長さにバラツキが生じる。特に溶接缶は、溶接継目により缶胴の開口端部は真円に形成され難いので、缶胴の両端部での歪みが発生しやすい。
【０００６】
このようなフランジの長さのバラツキは、たとえ０．３ｍｍ程度であっても、巻締密封不良を起こし易くなってしまうので、円筒状缶部材の缶胴になる部分に傾斜凹凸模様を持つ異形缶を作る際に、缶胴の両端部での歪みの発生を低減することは非常に重要であった。
しかしながら、従来はこのような缶胴の両端部での歪みの発生を低減することのできる適切な技術が存在しないため、缶胴への傾斜凹凸模様の成形は実用化されていないのが実情である。
【０００７】
またこのような異形缶であっても、さらに既存の円筒缶用の設備を変更することなく、また自動販売機に既存の円筒缶と同様に入れられることも重要であり、異形缶には、このような既存の設備に対する適応性の確保が重要であった。
本発明は前記従来技術の課題に鑑みなされたものであり、その第一の目的は、缶の装飾効果の向上と、成形の際に発生し易い変形歪みの発生の低減を同時に図ることのできる異形缶製造方法、エキスパンド型及び異形缶を提供することにある。また本発明の第二の目的は、既存の円筒缶用の設備に対する適応性のある異形缶を提供することにある。
【０００８】
【課題を解決するための手段】
本発明者らが前記課題について鋭意検討を行った結果、まず缶胴の開口端部での歪みの発生メカニズムがわかった。すなわち、一般的な定形の凹凸模様を形成する場合に比較し、装飾効果に優れた傾斜凹凸模様を形成する場合は、特に缶胴の変形歪みが生じ易く、しかもその変形歪みは缶胴の開口端部に伝播しやすいのである。
【０００９】
さらに、本発明者らが、このような缶胴の変形歪みの発生をできるだけ低減することのできる傾斜凹凸模様の成形技術について検討したところ、缶胴拡径部の上端及び下端の全周に渡って、それぞれ凸部を成形し、これらの凸部間に傾斜凹模様を成形し、傾斜凹模様よりも前記凸部を半径方向外側に張出させることにより、傾斜凹凸模様の成形の際に、缶胴の変形歪みの発生そのものを大幅に低減することできることがわかった。さらに缶胴の変形歪みが生じても、拡径部両端部の凸部により、缶胴開口端部への伝播が遮断されることも見出し、本発明を完成するに至った。
【００１０】
すなわち、前記第一の目的を達成するために本発明にかかる異形缶製造方法は、エキスパンド成形工程を含む異形缶製造方法において、
前記エキスパンド成形工程は、前記缶部材の缶胴拡径部上部になる部分の全周に渡って設けられる上部略タガ状凸部と、該缶部材の缶胴拡径部下部になる部分の全周に渡って設けられる下部略タガ状凸部の拡径寸法が、前記上部略タガ状凸部と前記下部略タガ状凸部との間において、該缶胴の円周方向に対し斜めに設けられる傾斜凹凸模様の傾斜凹模様の径よりも大となるように、該円筒状缶部材の缶胴になる部分をエキスパンド成形することを特徴とする。
【００１１】
ここで、前記エキスパンド成形は、円筒状缶部材の缶胴拡径部になる部分をその内側から半径方向外側にエキスパンド成形することにより、缶胴上部及び缶胴下部よりも大径の缶胴拡径部とする。
また前記第一の目的を達成するために本発明にかかるエキスパンド型は、円筒状缶部材内に配置され、該缶部材の缶胴拡径部になる部分をその内側から半径方向外側にエキスパンド成形することにより、缶胴上部及び缶胴下部よりも大径の缶胴拡径部とするための外周壁を持つエキスパンド型において、
前記外周壁は、拡径対応部と、上部タガ対応部と、下部タガ対応部と、傾斜凹凸模様対応部と、を備える。そして、傾斜凹模様対応部上端を前記上部タガ対応部よりも下方、且つ半径方向内側に位置させる。かつ該傾斜凹模様対応部下端部を前記下部タガ対応部よりも上方、且つ半径方向内側に位置させることを特徴とする。
【００１２】
ここで、前記拡径対応部は、前記缶部材の缶胴上部になる部分から缶胴下部になる部分にかけて、内側から半径方向外側に押圧し、所定の寸法を持つ缶胴拡径部となるまで前記缶部材の缶胴になる部分を拡径するためのものとする。
前記上部タガ対応部は、前記外周壁の前記拡径対応部の上部に相当し、該拡径対応部の上部の全周に渡って設けられる。
【００１３】
前記下部タガ対応部は、前記外周壁の前記拡径対応部の下部に相当し、該拡径対応部の下部の全周に渡って設けられる。
前記傾斜凹凸模様対応部は、前記上部タガ対応部から前記下部タガ対応部にかけての外周壁に、該外周壁の円周方向に対し斜めに傾斜凹凸模様が形成された少なくとも傾斜凹模様対応部を含む。
【００１４】
ここにいう傾斜凹模様対応部上端を前記上部タガ対応部よりも下方、且つ半径方向内側に位置させるとは、上部タガ対応部により、外周壁の缶胴上部に対応する部分と傾斜凹模様対応部上端とを隔絶することをいう。
ここにいう傾斜凹模様対応部下端部を前記下部タガ対応部よりも上方、且つ半径方向内側に位置させるとは、下部タガ対応部により、外周壁の缶胴下部に対応する部分と傾斜凹模様対応部下端とを隔絶することをいう。
ここにいう傾斜凹模様の径とは、傾斜凹模様が拡径される場合と、該傾斜凹模様が拡径されない場合、つまり基径のままの場合とを含めていう。
【００１５】
本発明の円筒状缶部材としては、缶胴の上端、下端のうち、少なくとも一端が開口しているものをいい、缶胴の上端及び下端の両端が開口しているもの、缶胴の上端及び下端のうち、一端が開口しているものを含めていう。
本発明の上部（上端）、下部（下端）、上下方向としては、缶部材、エキスパンド型の配置を一般的な上下方向に限定するものではなく、缶蓋側、缶底側、缶蓋と缶底間を結ぶ長手方向に対応するものをいう。
本発明の略タガ状凸部としては、その幅が全周にわたって一定であるものや、その幅が円周方向の位置によって異なるものを含めていう。
【００１６】
また前記エキスパンド型においては、複数のエキスパンド用セグメントを含み、該隣合うエキスパンド用セグメントの傾斜凹凸模様対応部は、該外周壁の円周方向に連続または不連続に構成されていることが好適である。
ここで、前記エキスパンド用セグメントは、その中心軸線を中心に分割され、それぞれ前記外周壁の対応部を持つ。
【００１７】
また前記エキスパンド型においては、前記傾斜凹凸模様対応部が螺旋状であり、その螺旋巻数が正の整数倍であることが好適である。
すなわち、その螺旋巻数が正の整数倍でないと、傾斜凹凸模様による成形応力が缶胴の円周方向で不均等に作用するので、缶胴の変形歪みを生じ易いからである。
【００１８】
また前記第一の目的を達成するために本発明にかかる異形缶は、缶胴上部及び缶胴下部よりも大径の缶胴拡径部を備えた異形缶において、
上部略タガ状凸部と、下部略タガ状凸部と、傾斜凹凸模様と、を備える。そして、前記傾斜凹模様上端部を前記上部略タガ状凸部よりも下方、且つ円周方向内側に位置させる。かつ該傾斜凹模様下端部を前記下部略タガ状凸部よりも上方、且つ半径方向内側に位置させることを特徴とする。
ここで、前記上部略タガ状凸部は、前記缶胴拡径部の上部に相当し、該拡径部上部の全周に渡って設けられる。
【００１９】
また前記下部略タガ状凸部は、前記缶胴拡径部の下部に相当し、該拡径部下部の全周に渡って設けられる。
前記傾斜凹凸模様は、前記缶胴の前記上部略タガ状凸部から前記下部略タガ状凸部にかけて、該缶胴の円周方向に対し斜めに形成された少なくとも傾斜凹模様を含む。
ここにいう異形缶とは、内容物がない空缶と、内容物が充填されている缶詰を含めていう。
【００２０】
なお、前記異形缶において、前記傾斜凹凸模様は螺旋状であり、その螺旋巻数が正の整数倍であることが好適である。
すなわち、その螺旋巻数が正の整数倍でないと、傾斜凹凸模様による成形応力が缶胴の円周方向で不均等に作用するので、缶胴の変形歪みを生じ易いからである。
【００２１】
また前記第二の目的を達成するために前記異形缶においては、前記上部略タガ状凸部の外径と前記下部略タガ状凸部の外径は、ほぼ同一である。前記缶胴の上端部と前記上部略タガ状凸部間の上下方向の長さが缶高の１０％以上、２０％以下となる範囲内に、該上部略タガ状凸部が位置する。かつ前記缶胴の下端部と前記下部略タガ状凸部間の上下方向の長さが缶高の１０％以上、２０％以下となる範囲内に、該下部略タガ状凸部が位置することが好適である。
すなわち、缶胴の略タガ状凸部は、前記好適な範囲内に位置すると、製造設備、自動販売機等の既存の設備で、一般的な円筒缶の缶胴と同じ作用を持つのに対し、缶胴の略タガ状凸部が前記好適な範囲外に位置すると、既存の設備での使用が困難になるからである。
【００２２】
＜傾斜凹凸模様＞
なお、ここにいう傾斜凹凸模様とは、缶胴拡径部の傾斜凹模様を、より浮き出させるために積極的に傾斜凸模様を設ける場合と、缶胴拡径部に傾斜凹模様を形成することにより、結果的に傾斜凸模様も形成される場合を含めていう。
本発明の傾斜凹凸模様の形成方法としては、例えばエキスパンド用セグメントの傾斜凹凸模様対応部を連続的に配置し缶胴に螺旋模様を連続に形成すること、傾斜凹凸模様対応部が形成されたエキスパンド用セグメントを１つ以上飛びに配置し缶胴に螺旋模様を不連続に形成すること等が一例として挙げられる。
【００２３】
本発明の傾斜凹凸模様の種類としては、例えば螺旋模様、傾斜リング模様、複数条の螺旋模様、上下に区分した傾斜凹凸模様、傾斜凹凸模様をクロスしたり、部分的に設けた模様、及びそれらの組合せ等が一例として挙げられる。
本発明の傾斜凹凸模様を適用可能な異形缶としては、例えば絞りしごき成形した缶、薄肉化深絞り成形した缶、ボトル型に成形した缶、溶接缶等が一例として挙げられる。
【００２４】
【発明の実施の形態】
以下、図面に基づき本発明の好適な一実施形態について説明する。
製造方法
図１には本発明の一実施形態にかかる異形缶製造方法において特徴的なエキスパンド成形工程を行う際に用いられる分割金型（エキスパンド型）の概略構成が示されている。なお、本実施形態では、分割金型の外周壁の上部に上部逃がし部を設け、かつ該外周壁の下部に下部逃がし部を設けた例について説明する。
本実施形態においては、缶胴上端１０ａ及び缶胴下端１０ｂ側が開口している円筒状缶部材１０（同図（Ａ）参照）の内側に、例えば缶胴下端１０ｂ側より分割金型１２（同図（Ｂ）参照）を挿入する。
【００２５】
そして、同図（Ｃ）に示すような分割金型１２の拡径により、缶部材１０の缶胴１４のエキスパンド成形を行い、同図（Ｄ）に示すような缶胴拡径部１６を缶部材１０の缶胴１４に形成している。
すなわち、同図（Ｃ）では、分割金型１２の中心軸線に沿って開けられている穴１８に、セグメント拡径用クサビ軸（以下、クサビ軸という）２０を下方より入れて、図中矢印ｉ方向に上昇させることにより、分割金型１２を構成する各エキスパンド成形用セグメント１２ａ〜１２ｊは、半径方向外側である図中矢印ｊ方向に拡径する。
【００２６】
このような各エキスパンド成形用セグメント１２ａ〜１２ｊの拡径により、まず缶部材１０の缶胴拡径部１６の上部になる部分の全周に渡って上部略タガ状凸部２２ａの成形と、缶部材１０の缶胴拡径部１６の下部になる部分の全周に渡って下部略タガ状凸部２２ｂの成形が同時に始まる。
また缶部材１０の缶胴１４の上部略タガ状凸部２２ａと下部略タガ状凸部２２ｂになる部分との間に、螺旋状の傾斜凹凸模様２４が成形される。
【００２７】
ここで、各エキスパンド用セグメント１２ａ〜１２ｊの半径方向外側への拡径量を調整することにより、同図（Ｄ）に示すような缶胴上部１４ａ及び缶胴下部１４ｂよりも大径の缶胴拡径部１６を缶部材１０の缶胴１４に形成している。
本実施形態において特徴的なことは、缶胴拡径部１６に、上部略タガ状凸部２２ａと、下部略タガ状凸部２２ｂと、傾斜凹凸模様２４を設けたことである。
【００２８】
上部略タガ状凸部２２ａは、缶部材１０の缶胴拡径部１６の上端に相当し、該缶胴拡径部１６上部の全周に渡って設けられている。
下部略タガ状凸部２２ｂは、缶部材１０の缶胴拡径部１６の下端に相当し、該缶胴拡径部１６下部の全周に渡って設けられている。
傾斜凹凸模様２４は、缶部材１０の缶胴拡径部１６の上部略タガ状凸部２２ａから下部略タガ状凸部２２ｂにかけて形成された傾斜凹模様２６、傾斜凸模様２８を含む。
【００２９】
そして、傾斜凹凸模様２４を構成する傾斜凹模様上端部２６ａを上部略タガ状凸部２２ａよりも下方で、且つ半径方向内側に位置させている。これにより傾斜凹模様２６の上端部２６ａと缶部材１０の缶胴上部１４ａとを、上部略タガ状凸部２２ａにより隔絶している。
また傾斜凹模様下端部２６ｂを下部略タガ状凸部２２ｂよりも上方で、且つ半径方向内側に位置させている。これにより缶部材１０の缶胴下部１４ｂと傾斜凹模様２６の下端部２６ｂとを、下部略タガ状凸部２２ｂにより隔絶している。
【００３０】
エキスパンド装置
図２には本発明の一実施形態にかかる分割金型を用いたエキスパンド装置の概略構成が示されている。
なお、同図においては、中心軸線２９よりも左側の断面図は分割金型を半径方向外側に拡径した後の説明図、中心軸線２９よりも右側の断面図は、同様の分割金型を半径方向外側に拡径する前の説明図である。
同図に示すエキスパンド装置３０は、前記クサビ軸２０と、前記分割金型１２と、金型保持体３２と、缶押えガイド３４と、缶ホールド３６を備える。
【００３１】
クサビ軸２０の外周壁、分割金型１２の内周壁には、それぞれテーパ部３８，４０が設けられている。クサビ軸２０は、そのテーパ部３８が分割金型１２のテーパ部４０と摺動しながら上下動する。
分割金型１２は、エキスパンド成形を行う略円筒状の成形部４２と、該成形部４２の下部に設けられ、金型保持体３２に保持される略円盤状の保持部４４を備える。
すなわち、金型保持体３２は、例えば略ドーナツ状の上部保持部４６と、略ドーナツ状の下部保持部４８を備え、分割金型１２の保持部４４を保持している。
【００３２】
分割金型１２の保持部４４の外周壁には横向きに穴５０が設けられ、該穴５０にばね５２の一端が設けられている。ばね５２の他端は上部保持部４６の内周壁に設けられている。
缶押えガイド３４は、ばね（図示省略）等の力により缶部材１０の上端を上方より押し付ける。
缶ホールド３６は、ばね（図示省略）等の力により、缶胴を側方より保持し、缶部材１０の分割金型１２への供給、及び缶部材１０の分割金型１２よりの排出を行わせる。
【００３３】
この結果、クサビ軸２０を上下方向に移動させることにより、分割金型１２を半径方向に移動させることができる。
すなわち、エキスパンド成形の際には、中心軸線２９よりも左側の縦断面図に示されるように缶押えガイド３４により缶部材１０の上端をしっかり押えた状態で、クサビ軸２０を上方向に移動させる。すると、クサビ軸２０のテーパ部３８は分割金型１２のテーパ部４０を押すので、分割金型１２は半径方向外側に移動する。これにより分割金型１２の外周壁による缶部材１０のエキスパンド成形が進む。
【００３４】
これに対し、クサビ軸２０を下方に移動させることにより、ばね５２の反力により分割金型１２は半径方向内側に移動する。これにより例えばエキスパンド装置３０に対しエキスパンド成形前の缶部材１０を容易にセットすることができる。
【００３５】
分割金型
図３には本発明の一実施形態にかかる分割金型１２の保持部４４を省略した概略構成が示されている。
なお、同図（Ａ）は本実施形態にかかる分割金型１２の外観斜視図、同図（Ｂ）は該分割金型１２を上方より見た図、同図（Ｃ）は該分割金型１２を側方より見た図である。図１では金型を１０分割した分割金型を用いた例について説明したが、同図では金型を１２分割した分割金型１２を用いた例について説明する。
【００３６】
同図に示す分割金型１２は、円筒状の缶部材１０内に配置され、該缶部材１０の缶胴拡径部になる部分をその内側から半径方向外側にエキスパンド成形し、缶胴上部及び缶胴下部よりも大径の缶胴拡径部とするための外周壁を持つ。
その外周壁に、上部逃がし部５４ａと、下部逃がし部５４ｂと、拡径対応部５６を一体的に備える。拡径対応部５６に、上部タガ対応部５８ａと、下部タガ対応部５８ｂと、傾斜凹凸模様対応部６０を設ける。
【００３７】
傾斜凹凸模様対応部６０は、傾斜凹模様対応部６２と、傾斜凸模様対応部６４を含む。
そして、本実施形態においては、傾斜凹模様対応部６２の上端部６２ａ（図３（Ｃ）参照）の位置を上部タガ対応部５８ａよりも下方、且つ半径方向内側に位置させることにより、傾斜凹模様対応部６２の上端部６２ａと上部逃がし部５４ａとを、上部タガ対応部５８ａにより隔絶している。
【００３８】
また本実施形態においては、傾斜凹模様対応部６２の下端部６２ｂの位置を下部タガ対応部５８ｂよりも上方、且つ半径方向内側に位置させることにより、傾斜凹模様対応部６２の下端部６２ｂと下部逃がし部５４ｂとを、下部タガ対応部５８ｂにより隔絶している。
ここで、上部逃がし部５４ａは、分割金型１２外周壁の半径方向外側への拡径によっても缶部材の缶胴上部になる部分を拡径させない外径をもち、缶部材の缶胴上部になる部分に、拡径させない上部非拡径部を設けるためのものとする。
【００３９】
下部逃がし部５４ｂは、分割金型１２外周壁の半径方向外側への拡径によっても缶部材の缶胴下部になる部分を拡径させない外径をもち、缶部材の缶胴下部になる部分に、拡径させない下部非拡径部を設けるためのものとする。
拡径対応部５６は、分割金型１２外周壁の上部逃がし部５４ａから下部逃がし部５４ｂにかけて形成され、逃がし部５４ａ，５４ｂよりも大きな径をもち、缶部材の缶胴上部になる部分から缶胴下部にかけて、内側から半径方向外側に押圧して拡径し、所定の寸法を持つ缶胴拡径部を成形するためのものとする。
【００４０】
上部タガ対応部５８ａは、分割金型１２外周壁の拡径対応部５６の上部に相当し、該拡径対応部５６の上部の全周に渡って設けられる。
下部タガ対応部５８ｂは、分割金型１２外周壁の拡径対応部５６の下部に相当し、該拡径対応部５６の下部の全周に渡って設けられる。
傾斜凹凸模様対応部６０は、分割金型１２外周壁の上部タガ対応部５８ａから下部タガ対応部５８ｂにかけて、分割金型１２外周壁の円周方向に対し斜めに形成された傾斜凹模様対応部６２、傾斜凸模様対応部６４を含む。
【００４１】
なお、本実施形態においては、分割金型１２はその中心軸線を中心に複数のエキスパンド用セグメント１２ａ〜１２ｌに分割されている。
各エキスパンド用セグメント１２ａ〜１２ｌは、それぞれ分割金型１２外周壁の対応部を持つ。
そして、隣合うエキスパンド用セグメント１２ａ〜１２ｌに形成されている各傾斜凹凸模様対応部は、実質的に連続しており、本実施形態においては、螺旋状に形成されている。
【００４２】
本実施形態にかかる分割金型１２は概略以上のように構成され、以下にその作用について説明する。
従来、円筒状缶部材の缶胴をエキスパンド成形し、その缶胴面に螺旋状の傾斜凹凸模様を成形しようとすると、缶胴の開口端部の断面円形が歪んでしまう。特に金属缶が溶接缶であると、溶接缶胴（メガネ缶）の断面は完全な円形ではないので、その歪みを助長させやすくなる。この状態で、缶胴の開口端部をフランジ成形すると、フランジの長さにバラツキが生じる。例えば許容範囲０．２ｍｍに対し、それよりも大きい０．３ｍｍのバラツキが生じ、巻締密封不良を起こし、品質上、重大欠陥につながるおそれがある。
【００４３】
このようにフランジの長さにバラツキが生じる原因を調査したところ、金型で拡径する際に、缶胴の開口端に近い部分では、缶胴面に傾斜模様を浮き出させるための傾斜凸模様対応部６４を備えたエキスパンド用セグメントが、隣接する螺旋状の傾斜凹模様対応部６２を備えたエキスパンド用セグメントよりも先に缶部材の缶胴内面に当接し、これにより、傾斜凸模様対応部６４で缶胴内面が鋭角的に拡径されるので、エキスパンド成形された缶胴の開口端の円形が歪んでしまうことがわかった。
そして、このように開口端部が歪んだままフランジ成形すると、フランジャーロールが不均一に開口端内面に当たる結果、短径側のフランジ長さが長くなる傾向があることが判明した。
【００４４】
そこで、本実施形態においては、分割金型１２の拡径対応部５６に、上部タガ対応部５８ａ、下部タガ対応部５８ｂを設け、上部タガ対応部５８ａから下部タガ対応部５８ｂにかけて、傾斜凹凸模様対応部６０を設けている。
この結果、傾斜凹模様対応部６２の上端部６２ａの位置を上部タガ対応部５８ａよりも下方、且つ半径方向内側に位置させることにより、傾斜凹模様対応部６２の上端部６２ａと上部逃がし部５４ａとを、上部タガ対応部５８ａにより隔絶している。
【００４５】
また傾斜凹模様対応部６２の下端部６２ｂの位置を下部タガ対応部５８ｂよりも上方、且つ半径方向内側に位置させることにより、該傾斜凹模様対応部６２の下端部６２ｂと下部逃がし部５４ｂとを、下部タガ対応部５８ｂにより隔絶している。
このような分割金型１２を用いることにより、缶部材１０は次のようにエキスパンド成形されることとなる。
【００４６】
すなわち、本実施形態において、エキスパンド成形工程では、缶部材の缶胴拡径部上部になる部分の全周に渡って設けられる上部略タガ状凸部と、該缶部材の缶胴拡径部下部になる部分の全周に渡って設けられる下部略タガ状凸部のエキスパンド成形後の拡径寸法が、前記上部略タガ状凸部及び下部略タガ状凸部との間において、円周方向に対し斜めに設けられる傾斜凹凸模様の傾斜凹模様の径よりも大となるように、缶部材をエキスパンド成形する。
この結果、このような成形方法の工夫のないものに比較し、缶胴の変形歪みの発生そのものを大幅に低減することができる。
【００４７】
すなわち、缶胴の円周方向に凹凸模様を成形する場合に比較し、缶胴の円周方向に対し傾斜凹凸模様を成形する場合は缶胴の変形歪みが発生しやすい。
これに対し、本実施形態のように傾斜凹凸模様の傾斜凹模様の径よりも、缶胴の円周方向の全周に渡って缶胴の変形歪みを発生しにくい略タガ状凸部を半径方向外側に突出させて形成することにより、傾斜凹凸模様の成形の際に、缶胴の開口端における変形歪みの発生そのものを大幅に低減できるからである。
【００４８】
しかも、缶部材１０は、傾斜凹模様２６の上端部２６ａと缶胴上部１４ａとを上部略タガ状凸部２２ａにより隔絶し、該傾斜凹模様２６の下端部２６ｂと缶胴下部１４ｂとを下部略タガ状凸部２２ｂにより隔絶する。
したがって、缶胴拡径部１６に傾斜凹凸模様２４を成形する際に、缶胴の変形歪みが多少生じても、略タガ状凸部２２ａ，２２ｂの成形により、その成形歪みを缶胴上端１０ａ、缶胴下端１０ｂ方向へ伝播させないようにするか、あるいは矯正される。これにより、円筒形の缶胴上端１０ａ、缶胴下端１０ｂに変形歪みが発生するのを防ぐことができる。
【００４９】
このように本実施形態にかかる異形缶製造方法、及び分割金型１２によれば、缶部材１０の缶胴１４に装飾効果に優れた傾斜凹凸模様２４を成形することにより、缶部材１０に定形的な外観模様に加えて傾斜模様を施すことができるので、色々な組み合せにより外観デザインに種々の変化をもたすことができる。これにより、定形模様のものに比較し、外観性にバリエーションをもたせ、他の商品との差別化を図ることができる。
【００５０】
しかも、本実施形態においては、傾斜凹凸模様２４を成形する際に、缶胴拡径部１６の両端部に略タガ状凸部２２ａ，２２ｂを設けるという簡単でしかも安価な構成により、傾斜模様の成形に伴う成形歪みが缶胴１４の開口端部１０ａ，１０ｂに及ぼす影響を可及的に少なくすることができる。したがって、このような円形の開口端部１０ａ，１０ｂをフランジ成形しても、フランジの長さのバラツキを例えば製造許容範囲の０．２ｍｍ以下にすることができるので、巻締密封不良缶の発生を防止することができる。
【００５１】
＜傾斜凹模様の連続性＞
本実施形態においては、複数のエキスパンド用セグメントを用いているので、該隣合うエキスパンド用セグメントの傾斜凹模様対応部が、実質的に連続することも非常に重要である。
すなわち、傾斜凹模様の成形時の変形歪みは、傾斜凹模様を不連続に成形すると、不連続な傾斜凹模様毎に、その影響を大きく受ける。これに対し、傾斜凹模様が連続していれば、不連続な傾斜凹模様の成形時に比較し、このような変形歪みの影響が小さくすむからである。
【００５２】
＜上部逃し部＞
分割金型としては、分割金型１２の缶胴上部に対応する部分に逃がし部、すなわち上部逃がし部５４ａを設けないものも用いることができる。
しかしながら、図３に示すように分割金型１２の外側壁に上部逃がし部５４ａと下部逃がし部５４ｂを設けることが、上部逃がし部５４ａを設けず、下部逃がし部５４ｂのみを設けるものに比較し、略タガ状凸部から缶胴端部にかけて、内面の傷付きを防いで前記エキスパンド成形が安定して行える点で、内面品質上好ましい。
【００５３】
＜フランジ成形後の缶部材＞
缶部材１０を前述のようにエキスパンド成形した後に、フランジ成形した後の様子を図４示す。
本実施形態にかかる異形缶製造方法、分割金型によれば、断面円形の開口端部１０ａ，１０ｂをフランジ成形することができるので、同図に示されるようなフランジ６６ａ，６６ｂの長さのバラツキを許容範囲内、例えば０．２ｍｍ以下にすることができる。これにより、巻締密封不良缶の発生を防止することができる。
同図に示されるようなフランジャー工程後の缶部材１０に対し、シーマー工程等を行い、缶胴の一方の開口端に缶蓋を設け、内容物を充填した後に、缶胴の他方の開口端に缶底を設けると、次のような異形缶を製造することができる。
【００５４】
異形缶
図５〜６には本発明の一実施形態にかかる分割金型、異形缶製造方法により製造された異形缶の概略構成が示されている。
なお、図５（Ａ）は本実施形態にかかる異形缶の平面図、図５（Ｂ）は該異形缶の底面図、図５（Ｃ）は該異形缶の縦断面を内面側より見た図である。また図６（Ａ）は該異形缶の背面図、図６（Ｂ）は該異形缶の左側面図、図６（Ｃ）は該異形缶の正面図、図６（Ｄ）は該異形缶の右側面図である。
【００５５】
同図に示す異形缶６７は、前記エキスパンド成形後の缶部材１０の上端１０ａ、下端１０ｂにそれぞれ缶蓋６８、缶底７０が設けられたものであり、缶胴上部１４ａ及び缶胴下部１４ｂは、それぞれ拡径していない上部非拡径部、下部非拡径部である。缶胴上部１４ａの上部非拡径部から缶胴下部１４ｂの下部非拡径部にかけて半径方向外側に拡径している。これを缶胴拡径部１６としている。
本実施形態においては、缶胴拡径部１６に上部略タガ状凸部２２ａと、下部略タガ状凸部２２ｂと、螺旋状の傾斜凹凸模様２４を備える。
【００５６】
そして、傾斜凹凸模様２４を構成する傾斜凹模様２６の上端部２６ａの位置を上部略タガ状凸部２２ａよりも下方、且つ半径方向内側に位置させることにより、傾斜凹模様２６の上端部２６ａと缶胴上部１４ａとを上部略タガ状凸部２２ａにより隔絶している。
かつ傾斜凹模様２６の下端部２６ｂの位置を下部略タガ状凸部２２ｂよりも上方、且つ半径方向内側に位置させることにより、傾斜凹模様２６の下端部２６ｂと缶胴下部１４ｂとを下部略タガ状凸部２２ｂにより隔絶している。
【００５７】
ここで、上部略タガ状凸部２２ａは、缶胴拡径部１６の上部に相当し、該缶胴拡径部１６の上部の全周に渡って設けられている。
また、下部略タガ状凸部２２ｂは、缶胴拡径部１６の下部に相当し、該缶胴拡径部１６の下部の全周に渡って設けられている。
傾斜凹凸模様２４は、缶胴１６の上部略タガ状凸部２２ａから下部略タガ状凸部２２ｂにかけて、該缶胴１６の円周方向に対し斜めに形成された傾斜凹模様２６、傾斜凸模様２８を含む。
【００５８】
これにより異形缶６７は、定形的な外観模様にバリエーションを加えて、変化に富んでおもしろ味のある傾斜凹凸模様２４を持つので、缶胴１４の装飾効果を向上させ、容器の形状等の点で他の商品との差別化を図ることができる。
しかもこのような装飾効果に優れた異形缶６７は、本実施形態にかかる金型１２、異形缶製造方法により製造されることにより、従来解決することが困難であった、缶胴１４に傾斜凹凸模様２４を形成する際の開口端１０ａ，１０ｂの成形歪みの発生が大幅に低減されている。
【００５９】
＜螺旋巻数＞
異形缶６７においては、螺旋状凹凸模様２４の螺旋巻数の選定は非常に重要であり、本実施形態においては、螺旋状凹凸模様２４の螺旋巻数を整数倍とすることが好適である。このために本実施形態では２巻構成で螺旋状凹凸模様２４が成形されている。
すなわち、傾斜凹凸模様２４が螺旋状に形成された場合、その巻数を整数倍とすることにより、傾斜凹凸模様２４による成形応力が円周方向で均等に作用し、缶胴１４の変形歪みを更に防ぎ、またエキスパンド成形との相乗効果により側壁強度を増加させることができ、板厚のゲージダウン化に有利となる。
【００６０】
また異形缶６７に内容物を充填した缶詰を加熱殺菌する際に、隣合う缶６７との隙間がなく密接触していても、缶胴拡径部１６に形成された傾斜凹凸模様２４の傾斜凹模様２６を伝わってスチームや冷却水が通過し易く、また缶胴１４の中央に行き渡り易く、従来のような定形模様が施された異形缶よりも加熱効率や冷却効率を更に向上させることができる。
【００６１】
＜略タガ状凸部の位置＞
略タガ状凸部２２ａ，２２ｂの位置の選定は、異形缶６７の既存の設備に対する適応性の向上の点から非常に重要である。
すなわち、略タガ状凸部２２ａ，２２ｂの好適な位置に関し、本発明者らは、例えば２０２径の円筒缶用の既存の設備では、缶胴上端、缶胴下端からそれぞれ缶高の１０％以上、２０％以下の位置で、缶を支えている点に着目した。
そして、異形缶６７の缶胴１４であっても、前記好適な範囲内に、異形缶６７の略タガ状凸部２２ａ，２２ｂが位置し、ほぼ同径寸法とすれば、円筒缶用の設備上で異形缶を支えることができるので、異形缶６７の缶胴を既存の円筒形の缶胴と同様に扱うことができることがわかった。
【００６２】
そこで、本実施形態においては、異形缶において、缶胴１４の上端部と上部略タガ状凸部２２ａ間の上下方向の長さ、すなわち略タガ状凸部２２ａの位置を缶高の１０％以上、２０％以下とする。また缶胴１４の下端部と下部略タガ状凸部２２ｂ間の上下方向の長さ、すなわち略タガ状凸部２２ａの位置を缶高の１０％以上、２０％以下とする。そして、略タガ状凸部２２ａ，２２ｂの外径をほぼ同径とすることが好ましい。
【００６３】
例えば本実施形態においては、缶高約１０４．７ｍｍの異形缶６７に対しては、上部略タガ状凸部２２ａを異形缶６７の上端部から約１５ｍｍの位置に成形し、下部略タガ状凸部２２ｂを異形缶６７の下端部から約１５ｍｍの位置に成形している。また異形缶６７では、外径を例えば５２．７４ｍｍとしている。これにより円筒缶用の設備は異形缶６７を缶胴１４の略タガ状凸部２２ａ，２２ｂで支えることができる。
したがって、本実施形態においては、異形缶６７の缶胴１４を通常の円筒缶の缶胴と同様に扱うことができるので、ほぼそのまま円筒缶用の既存の設備を用いることができる。
【００６４】
また略タガ状凸部２２ａ，２２ｂの位置が缶胴上端、缶胴下端からそれぞれ、缶高の１０％よりも近い位置に設けられていると、異形缶６７の略タガ状凸部２２ａ，２２ｂと２０２径の円筒缶用の設備とが干渉してしまう。特に２０２径の円筒缶用のフランジャー、シーマー等の設備への適応性が低下してしまうことがある。
【００６５】
これに対し、略タガ状凸部２２ａ，２２ｂが缶胴上端、缶胴下端からそれぞれ、缶高の２０％よりも高い位置に設けられていると、略タガ状凸部２２ａ，２２ｂでの転がり時の略タガ状凸部２２ａ，２２ｂを支えられなくなり、安定性が悪くなる。例えば自動販売機内において略タガ状凸部で直線的に転がりにくくなり、円筒缶の缶胴と同様に扱うことができなくなることがあるからである。
このような点からも、本実施形態においては、略タガ状凸部２２ａ，２２ｂの上下方向の位置はそれぞれ缶胴上端、缶胴下端からそれぞれ缶高の１０％以上、２０％以下に位置することが非常に好ましい。
【００６６】
変形例
なお、本発明は前記各構成に限定されるものではなく、発明の要旨の範囲内であれば、種々の変形が可能である。
【００６７】
＜傾斜凹凸模様＞
缶胴にエキスパンド成形される傾斜凹凸模様のバリエーションとしては、傾斜凹模様対応部が形成されたエキスパンド用セグメントを１つ以上飛びに配置し、螺旋模様を不連続的に形成してもよいが、前述のような加熱殺菌処理上の観点から、エキスパンド成形用セグメントの螺旋状の傾斜凹模様対応部を連続的に配置して螺旋模様を缶胴に形成するようにすることが、より好ましい。
また傾斜凹凸模様は、傾斜リング模様、複数条の螺旋模様、上下に区分した傾斜凹凸模様、あるいは傾斜凹凸模様をクロスした模様等の傾斜凹凸模様、またはそれらの組合せ模様を形成することに適用することもできるが、前述のような加熱殺菌処理上、側壁強度の観点から、螺旋状がより好ましい。
【００６８】
また前記実施形態では、絞りしごき成形した缶、薄肉化深絞り成形した缶、ボトル型に成形した缶等にも適用ができるが、円形歪みを生じやすい溶接缶への適用が、成形不良の低減の効果が顕著に得られることから、より効果的である。
また前記構成では、エキスパンド成形により、上部タガ状凸部２２ａ、下部タガ状凸部２２ｂ及び傾斜凹凸模様２４の傾斜凸模様が同径で、半径方向外側に張出している缶部材を得た例について説明した。しかしながら、本発明はこれに限定されるものではなく、成形歪みが防げるものであれば、以下に示すような缶部材とすることも可能である。
【００６９】
すなわち、本発明の缶部材としては、略タガ状凸部が、傾斜凹凸模様の傾斜凹模様よりも半径方向外側に張出すものであれば、例えば上部タガ状凸部及び下部タガ状凸部が同径で、傾斜凹凸模様の傾斜凸模様よりも、半径方向外側に張出しているような缶部材とすることや、上部タガ状凸部及び下部タガ状凸部が同径で、傾斜凹凸模様の傾斜凸模様が上部タガ状凸部及び下部タガ状凸部よりも半径方向外側に張出している缶部材とすることも可能である。
【００７０】
【実施例】
以下、本発明の好適な実施例を説明する。なお、本発明は実施例に限定されるものではない。
本実施例にかかる異形缶の製造方法の一例を示す。
まず本実施例にかかるエキスパンド成形工程の前に、フォーミング、溶接を行う。
【００７１】
すなわち、フォーミングでは、予め外面に装飾や商標等が印刷され、内面に防食処理がなされた長方形の熱可塑性樹脂被覆鋼板（例えば厚さ０．２２ｍｍ、縦１０８．７ｍｍ、横１５８．２ｍｍ）を円筒形に丸める。
前記フォーミング後に溶接を行う。
すなわち、円筒形に丸められた鋼鈑の端部を僅かに重ね合わせ、その重合部を溶接機の銅線電極で挟み、電気抵抗溶接する。これを円筒状の缶部材（外径約５０．４４ｍｍ）とする。
【００７２】
ここで、一般的な溶接機は、通常２０２径までの仕様であるが、本実施例においては、２００径の缶部材が溶接できるものを用いているので、異形缶の形状に対する選択が増える。
これにより、例えばエキスパンド成形工程では、缶部材の外形を２０２径とすることができる。また本実施例においては、缶部材のネックを２０２径では成形できなかった１１３径よりも小さい径に成形することができるので、缶部材の開口端部に、より小さな蓋を装着することができる。
【００７３】
前記溶接された重合部の内外面をポリエステルフィルムあるいは補正塗料で被覆する防食処理した後の缶部材に対し、本実施例において特徴的なエキスパンド成形工程（図１等参照）を行う。
すなわち、エキスパンド成形工程では、円筒状缶部材の内側に分割金型を挿入し、該分割金型を一斉に半径方向外側に押し広げ、各分割金型の外周壁の形状を円筒状缶部材の缶胴に移している。
【００７４】
ここで、エキスパンド成形工程では、缶部材の傾斜凹凸模様に対応する傾斜凸模様部分と拡径部の上部略タガ状凸部及び下部略タガ状凸部に対応する部分の成形を同時に開始し、次に拡径部の上部略タガ状凸部及び下部略タガ状凸部になる部分との間に、缶部材の傾斜凹模様が僅かに遅れて成形される。
このため、本実施例においては、缶胴の変形歪みの発生そのものを大幅に低減している。しかも、本実施例においては、傾斜凹凸模様を形成する際に、缶胴の成形歪みが生じても、成形歪みの缶胴開口端部への伝播を上部略タガ状凸部及び下部略タガ状凸部で遮断することができる。したがって、本実施例においては、円筒形の開口端部に歪みが発生するのを防ぐことができる。これにより、本実施例においては、缶の装飾効果の向上と、成形の際に発生し易い変形歪みの缶胴開口端部への影響を低減することができる。
【００７５】
ここで、缶部材の上部非拡径部と下部非拡径部の外径は、円筒状の缶部材の拡径前の外径のままの約５０．４４ｍｍとなっている。
一方、略タガ状凸部の頂点の外径は、それぞれ同一の外径を有しており、約５２．７４ｍｍまで拡径されている。また予定缶高約１０４．７ｍｍに対し、缶部材の上部端面から上部略タガ状凸部の最大エキスパンド部（最大拡径部）までの距離、及び缶部材の下部端面から下部略タガ状凸部の最大エキスパンド部までの距離はそれぞれ、約１５ｍｍ以上、１８ｍｍ以下の範囲内に入っている。
【００７６】
つぎに、このように成形された缶部材の両端に、フランジャーでフランジを形成すると、本実施例の缶部材（図４等参照）が得られる。
そして、缶部材のフランジの一方に、タブを引き上げ弱化線で囲まれた口部を破断し開口する金属製の缶蓋をシーマーで装着させる。このとき、異形缶のフランジに装着された蓋の外径は、約５２．３ｍｍになっている。
【００７７】
この後、蓋を装着させた缶部材に底側開口端より清涼飲料等を充填し、充填後に該底側開口端部のフランジに底蓋を装着し、異形缶詰が製造される（図５，６等参照）。このとき、底蓋の外径も蓋の外径と同様に約５２．３ｍｍになっている。底蓋の下面から蓋の上面までの高さ（缶高）は、１０４．７ｍｍとなっており、内容量は１８２ｍｌとなっている。
このように本実施例においては、缶胴の元径を２００径とし、現行２０２径１９０ｍｌ缶のネック径と同じとしているので、フランジ加工をすれば、蓋巻締め部が、現行缶、例えば２０２径１９０ｍｌ缶とほぼ同じ形状となる。
【００７８】
この結果、本実施例にかかる異形缶は、その略タガ状凸部が既存の設備において一般的な円筒缶の胴部と同じ作用を持つ。これにより本実施例にかかる異形缶の製造の際に、一般的な円筒缶用の充填機、フランジャー、シーマー等の既存の設備を大幅に改造することなく用いることができる。
また客先の円筒缶用の設備を大幅に改造をすることなく、本実施例にかかる異形缶を、一般的な２０２径の円筒缶とほぼ同様に取り扱うことができる。
【００７９】
例えば自動販売機に一般的な２０２径１９０ｍｌの円筒缶と同じように入れることができる。また製缶会社においては、新たに製造設備を設ける際、ネック設備は不要となる。
したがって、本実施例にかかる異形缶製造方法、及び異形缶は、既存の円筒缶用の設備に対し適用可能にされる。
【００８０】
【発明の効果】
以上説明したように本発明にかかる異形缶製造方法によれば、エキスパンド成形工程により、円筒状缶部材の傾斜凹凸模様の傾斜凹模様の径よりも略タガ状凸部の拡径寸法を大として傾斜凹凸模様の成形を進めることとしたので、缶の装飾効果の向上と同時に、成形の際に発生し易い変形歪みの缶胴開口端部への影響を低減することができる。
また本発明にかかるエキスパンド型においては、傾斜凹凸模様対応部が螺旋状であり、その螺旋巻数が正の整数倍であることにより、前記変形歪みの発生を更に低減することができる。
また本発明にかかる異形缶によれば、缶胴拡径部の両端に上部略タガ状凸部及び下部略タガ状凸部を設け、該上部略タガ状凸部及び下部略タガ状凸部間に傾斜凹凸模様を設けることとしたので、缶の装飾効果の向上と、成形の際に発生し易い変形歪みによる巻締不良を同時に低減することができる。
また本発明にかかる異形缶においては、傾斜凹凸模様は螺旋状であり、その螺旋巻数が正の整数倍であることにより、前記変形歪みの発生の低減をより図ることができる。
また本発明にかかる異形缶においては、缶胴上端部と上部略タガ状凸部間の長さ、缶胴下端部と下部略タガ状凸部間の長さをそれぞれ、缶高の１０％以上、２０％以下とすることにより、略タガ状凸部が一般的な円筒缶の缶胴と同じ作用を持つので、既存の設備に対する異形缶の適用性が向上される。
【図面の簡単な説明】
【図１】本発明の第一実施形態にかかるエキスパンド型によるエキスパンド成形工程の説明図である。
【図２】本発明の一実施形態にかかるエキスパンド型を用いたエキスパンド装置の概略構成の説明図である。
【図３】本発明の一実施形態にかかるエキスパンド型の概略構成の説明図である。
【図４】本発明の一実施形態にかかるエキスパンド成形工程後にフランジ成形した缶部材の説明図である。
【図５】本発明の一実施形態にかかる異形缶の概略構成の説明図である。
【図６】本発明の一実施形態にかかる異形缶の概略構成の説明図である。
【符号の説明】
１０    缶部材
１２    分割金型（エキスパンド型）
１４ａ  缶胴上部
１４ｂ  缶胴下部
１６    缶胴拡径部
２２ａ  上部略タガ状凸部
２２ｂ  下部略タガ状凸部
２４    傾斜凹凸模様
２６    傾斜凹模様
２８    傾斜凸模様
６７    異形缶
【図１】
2004298881.tif 000003
【図２】
2004298881.tif 000004
【図３】
2004298881.tif 000005
【図４】
2004298881.tif 000006
【図５】
2004298881.tif 000007
【図６】
2004298881.tif 000008